(57)【要約】【課題】ユーザの負担を軽減することが可能な電子機器を提供する。【解決手段】電子機器は、行動を予測する予測部（１２０）と、前記予測部で予測した行動に関する行動履歴を取得する取得部（１２０）と、前記予測部により予測された行動と、前記取得部により取得された行動履歴とに基づいて提案を行う提案部（１２０）と、を備える。【選択図】図１
2017102677.tif 000002
【特許請求の範囲】
【請求項１】
行動を予測する予測部と、
前記予測部で予測した行動に関する行動履歴を取得する取得部と、
前記予測部により予測された行動と、前記取得部により取得された行動履歴とに基づいて提案を行う提案部と、を備える電子機器。
【請求項２】
前記予測部により予測された行動と、前記予測部による予測後に行われた行動とを比較する比較部を備え、
前記提案部は、前記比較部の比較結果に基づいて提案を行う請求項１に記載の電子機器。
【請求項３】
物品の情報が入力される入力部を備え、
前記予測部は、前記入力部から入力された物品の情報から行動を予測する請求項１または２に記載の電子機器。
【請求項４】
撮像部を備え、
前記予測部は、前記撮像部で撮像された物品の情報に基づいて行動を予測する請求項１または２に記載の電子機器
【請求項５】
物品と通信する通信部を備え、
前記予測部は、前記通信部で通信した物品の情報に基づいて行動を予測する請求項１または２に記載の電子機器。
【請求項６】
前記予測部は、情報検索の履歴に基づいて行動を予測する請求項１から５のいずれか一項に記載の電子機器。
【請求項７】
前記取得部は、行動履歴のうち持ち物に関する履歴を取得する請求項１から６のいずれか一項に記載の電子機器。
【請求項８】
購入に関する履歴を記憶する記憶部を備え、
前記提案部は、前記記憶部が記憶する前記購入に関する履歴を考慮して、提案を行う請求項１から７のいずれか一項記載の電子機器。
【請求項９】
前記提案部は、ユーザに関する変化を考慮して、提案を行う請求項１から７のいずれか一項記載の電子機器。
【請求項１０】
購入に関する履歴を記憶する記憶部を備え、
前記取得部は、前記予測部で予測した行動に関する履歴として、前記持ち物に関する履歴を前記購入に関する履歴で補正した履歴を取得する請求項７記載の電子機器。
【発明の詳細な説明】
【技術分野】
【０００１】
本発明は、電子機器に関する。
【背景技術】
【０００２】
ユーザは、自宅などから外出する場合に、忘れ物がないかの確認や、窓やドアの施錠をしたかの確認など、様々な事項の確認を行う。この際に、ユーザは、確認漏れを防ぐために、チェックリストを用いることがある。外部サーバから取得した情報に基づき、チェックリストを自動的に修正する電子機器が提案されている（例えば、特許文献１参照）。所望のチェックリストの選択や、持ち物の準備が済んだか否かなどのチェックは、ユーザ自身が行っており、ユーザの負担となっている。
【先行技術文献】
【特許文献】
【０００３】
【特許文献１】特開２０１４−９２８１９号公報
【発明の概要】
【０００４】
本発明の電子機器は、行動を予測する予測部（１２０）と、前記予測部で予測した行動に関する行動履歴を取得する取得部（１２０）と、前記予測部により予測された行動と、前記取得部により取得された行動履歴とに基づいて提案を行う提案部（１２０）と、を備える。
【０００５】
この場合において、本発明の電子機器では、前記予測部により予測された行動と、前記予測部による予測後に行われた行動とを比較する比較部（１２０）を備え、前記提案部は、前記比較部の比較結果に基づいて提案を行ってもよい。
【０００６】
また、本発明の電子機器では、物品の情報が入力される入力部（１０４）を備え、前記予測部は、前記入力部から入力された物品の情報から行動を予測してもよい。
【０００７】
また、本発明の電子機器では、撮像部を備え、前記予測部は、前記撮像部で撮像された物品の情報に基づいて行動を予測してもよい。
【０００８】
また、本発明の電子機器では、物品と通信する通信部（１１０）を備え、前記予測部は、前記通信部で通信した物品の情報に基づいて行う行動を予測してもよい。
【０００９】
また、本発明の電子機器では、前記予測部は、情報検索の履歴に基づいて行動を予測してもよい。
【００１０】
また、本発明の電子機器では、前記取得部は、行動履歴のうち持ち物に関する履歴を取得してもよい。
【００１１】
また、本発明の電子機器では、購入に関する履歴を記憶する記憶部（１１８）を備え、前記提案部は、前記記憶部が記憶する前記購入に関する履歴を考慮して、提案を行ってもよい。
【００１２】
また、本発明の電子機器では、前記提案部は、ユーザに関する変化を考慮して、提案を行ってもよい。
【００１３】
また、本発明の電子機器では、購入に関する履歴を記憶する記憶部（１１８）を備え、前記取得部は、前記予測部で予測した行動に関する履歴として、前記持ち物に関する履歴を前記購入に関する履歴で補正した履歴を取得してもよい。
【図面の簡単な説明】
【００１４】
【図１】第１の実施形態に係る電子機器システムの構成を示すブロック図である。
【図２】持ち物リストＤＢのデータ構造の一例を示す図である。
【図３】図３（ａ）は、持ち物リストデータの一例を示す図、図３（ｂ）は、購入物品リストデータの一例を示す図、図３（ｃ）は、不使用物品リストデータの一例を示す図である。
【図４】装着装置の斜視図である。
【図５】図５（ａ）は、鞄用機器を備える鞄を側方から見た図であり、図５（ｂ）は、鞄を上方から見た図である。
【図６】ユーザによる持ち物の準備を補助する処理の一例を示すフローチャート（その１）である。
【図７】ユーザによる持ち物の準備を補助する処理の一例を示すフローチャート（その２）である。
【図８】修正後の持ち物リストデータの一例を示す図である。
【図９】買い足した物品及び鞄から取り出されなかった物品の情報を記憶する処理の一例を示すフローチャートである。
【図１０】ユーザによる持ち物の準備を補助する処理の一例を示すフローチャート（その１）である。
【図１１】ユーザによる持ち物の準備を補助する処理の一例を示すフローチャート（その２）である。
【発明を実施するための形態】
【００１５】
《第１の実施形態》
以下、第１の実施形態に係る電子機器システムについて、図１〜図９に基づいて、詳細に説明する。図１には、第１の実施形態に係る電子機器システム１０００の構成がブロック図にて示されている。
【００１６】
電子機器システム１０００は、図１に示すように、携帯機器１０と、装着装置２０と、物品用機器３０と、鞄用機器４０と、撮影装置５０と、を備える（利用する）。携帯機器１０と撮影装置５０とは、インターネットなどのネットワーク６０に接続されている。本実施形態の電子機器システム１０００は、ユーザが外出に向けて持ち物の準備をする場合に、ユーザの負担の軽減を図るために準備の補助を行うシステムである。
【００１７】
（携帯機器１０）
携帯機器１０は、ユーザにより携帯された状態で利用される情報機器である。携帯機器１０としては、携帯電話、スマートフォン、タブレット型パソコン、ＰＨＳ（Personal Handy-phone System）、ＰＤＡ（Personal Digital Assistant）などを採用することができる。本実施形態では、携帯機器１０は、スマートフォンであるものとする。携帯機器１０は、電話機能やメール機能、インターネットなどに接続するための通信機能、及びプログラムを実行するためのデータ処理機能などを有する。
【００１８】
携帯機器１０は、図１に示すように、表示部１０２と、操作部１０４と、位置検出部１０６と、計時部１０８と、第１通信部１１０と、第２通信部１１２と、電子決済機能部１１４と、温度検出部１１６と、撮像部１１７と、記憶部１１８と、制御部１２０と、を備える。
【００１９】
表示部１０２は、例えばＬＣＤ（Liquid Crystal Display）であり、画像や、各種情報、及びタッチ操作ボタンなどの操作入力用画像などを表示する。
【００２０】
操作部１０４は、タッチパネルとスイッチを備える。タッチパネルは、ユーザが触れたことに応じて情報入力を受け付け、受け付けた操作情報を制御部１２０に送信する。タッチパネルは、例えば表示部１０２上又は表示部１０２内に組み込まれている。したがって、タッチパネルは、ユーザが表示部１０２の表面をタッチすることに応じて、種々の情報入力を受け付ける。スイッチは、ユーザから携帯機器１０に対する操作を受け付ける操作部材であり、受け付けた操作情報を制御部１２０に送信する。
【００２１】
位置検出部１０６は、例えばＧＰＳ（Global Positioning System）センサを有しており、携帯機器１０の位置を検出し、位置情報（例えば緯度、経度）を制御部１２０に送信する。なお、位置検出部１０６は、例えば、複数のＷｉ−Ｆｉ基地局との通信状態から位置を検出してもよいし、その他の方法により位置を検出してもよい。
【００２２】
計時部１０８は、例えばタイマーを有しており、時間の計測を行い、その結果を制御部１２０に送信する。
【００２３】
第１通信部１１０は、他の機器（例えば装着装置２０、物品用機器３０、鞄用機器４０）と近距離無線通信（例えばＮＦＣ（Near Field Communication））を行う。第１通信部１１０が行う通信は、例えばＢｌｕｅｔｏｏｔｈ（登録商標）、ＲＦＩＤ（Radio Frequency Identification）、ＴｒａｎｓｆｅｒＪｅｔ（登録商標）、Ｗｉ−Ｆｉ（登録商標）などである。
【００２４】
第２通信部１１２は、ネットワーク６０に接続された他の機器（例えば撮影装置５０）と無線通信（例えば携帯電話回線や無線ＬＡＮ（Local Area Network）などを用いた通信）を行う。
【００２５】
電子決済機能部１１４は、ネットワーク６０を介して電子データをやりとりすることで、商品などの代金の支払い処理を行う。電子決済機能部１１４は、例えば電子マネーなどによって、商品などの代金の支払い処理を行う。電子決済機能部１１４による代金の支払い処理によって購入された物品の情報は記憶部１１８に記憶される。
【００２６】
温度検出部１１６は、例えば温度センサを有しており、携帯機器１０の周囲の温度などを検出し、温度情報を制御部１２０に送信する。
【００２７】
撮像部１１７は、レンズ、撮像素子、画像処理部などを備え、静止画や動画などの画像を撮影するものである。
【００２８】
記憶部１１８は、例えばフラッシュメモリなどの不揮発性の半導体メモリであり、例えば外出目的（外出先）ごとに持ち物に関するデータが関連付けられた情報などを記憶する。ここで、図２に基づいて、記憶部１１８に記憶された情報（持ち物リストＤＢ１２）の一例について説明する。
【００２９】
図２には、持ち物リストＤＢ１２のデータ構造の一例が示されている。図２に示すように、持ち物リストＤＢ１２は、外出目的（外出先）、持ち物リスト、購入物品リスト、及び不使用物品リストなどのフィールドを有している。外出目的（外出先）のフィールドには、釣りや、スポーツジム、海外旅行などの外出の目的や外出先の情報が格納される。持ち物リストのフィールドには、外出目的（外出先）に対応する持ち物リストのデータが格納される。購入物品リストのフィールドには、過去に持ち物リストを利用して物品の準備をした場合において、外出先で買い足した物品のリストのデータが格納される。不使用物品リストのフィールドには、過去に持ち物リストを利用して物品の準備をした場合において、鞄から取り出されなかった物品のリストのデータが格納される。なお、図２においては、各種リストがＰＤＦ形式のデータである場合について示されているが、各種リストはＣＳＶ形式などのデータであってもよい。
【００３０】
図３（ａ）は、持ち物リストデータの一例を示す図、図３（ｂ）は、購入物品リストデータの一例を示す図、図３（ｃ）は、不使用物品リストデータの一例を示す図である。なお、図３（ａ）から図３（ｃ）のリストは、外出目的（外出先）“釣り”に対応するリストである。図３（ａ）に示すように、持ち物リスト１４は、物品名及びチェック欄などのフィールドを有している。物品名のフィールドには、所持すべき物品（すなわち、準備すべき物品）の名称（例えば釣竿など）が格納される。チェック欄のフィールドは、物品の準備完了を受けてチェックが付される。図３（ｂ）に示すように、購入物品リスト１６には、釣りに出かけたユーザが外出先において購入した物品（例えばペットボトル飲料など）の情報が格納されている。図３（ｃ）に示すように、不使用物品リスト１８には、釣りに出かけたユーザが持って行ったにも関わらず、使用しなかった物品（例えばトレーナーなど）の情報が格納されている。
【００３１】
制御部１２０は、ＣＰＵ（Central Processing Unit）、ＲＡＭ（Random Access Memory）、ＲＯＭ（Read Only Memory）などを備える。制御部１２０は、ＣＰＵがＲＯＭなどに格納されているプログラムを実行することにより、携帯機器１０全体を制御する。制御部１２０が実行する処理の詳細については後述する。
【００３２】
（装着装置２０）
装着装置２０は、ユーザが身体（顔）に装着する眼鏡型の端末である。装着装置２０は、図１に示すように、撮像部２０２と、表示部２０４と、操作部２０６と、生体情報検出部２０８と、記憶部２１０と、通信部２１２と、制御部２１４と、を備える。図４には、装着装置２０が斜視図にて示されている。図４に示すように、装着装置２０は、眼鏡型のフレーム２３０を備える。なお、図１において図示され、図４において図示されていない装着装置２０の構成は、フレーム２３０の内部や、フレーム２３０の一部に設けられているものとする。
【００３３】
撮像部２０２は、レンズ、撮像素子、画像処理部などを備え、静止画や動画などの画像を撮影するものである。撮像部２０２は、図４に示すように、フレーム２３０の端部近傍（例えばユーザの右目近傍）に設けられている。このため、ユーザが装着装置２０を装着した状態では、ユーザが向いている（見ている）方向の画像を撮影することができる。
【００３４】
表示部２０４は、フレーム２３０の内部又はフレーム２３０の近傍に設けられたプロジェクタと、プロジェクタからの投影像をユーザの目に導くためのプリズムと、を有する。表示部２０４は、制御部２１４の指示の下、各種情報を表示する。装着装置２０を装着したユーザは、表示部２０４が投影した情報を視認できると共に、外界像をシースルーで視認できるようになっている。なお、図４に示す表示部２０４は一例であって、大きさやデザインは適宜変更することができる。
【００３５】
操作部２０６は、フレーム２３０に設けられたタッチパッドであり、ユーザの指の動きを検知して、ユーザからの操作を受け付け、受け付けた操作情報を制御部２１４に送信する。
【００３６】
なお、装着装置２０の構成においては、表示部２０４と操作部２０６を省略してもよい。
【００３７】
生体情報検出部２０８は、例えば心拍、呼吸、体動、血圧、体温などの生体情報を検出する生体センサを有しており、検出した生体情報を制御部２１４に送信する。
【００３８】
記憶部２１０は、例えばフラッシュメモリなどの不揮発性の半導体メモリであり、撮像部２０２が撮影した画像データや、生体情報検出部２０８が検出した生体情報などを記憶する。
【００３９】
通信部２１２は、他の機器（例えば携帯機器１０）と近距離無線通信（例えばＮＦＣ）を行う。通信部２１２が行う通信は、例えばＢｌｕｅｔｏｏｔｈ（登録商標）、ＲＦＩＤ、ＴｒａｎｓｆｅｒＪｅｔ（登録商標）、Ｗｉ−Ｆｉ（登録商標）などである。
【００４０】
制御部２１４は、ＣＰＵ、ＲＡＭ、ＲＯＭなどを備える。制御部２１４は、ＣＰＵがＲＯＭなどに格納されているプログラムを実行することにより、装着装置２０全体を制御する。
【００４１】
（物品用機器３０）
物品用機器３０は、物品に外付けされた、又は物品に内蔵された機器である。物品用機器３０は、図１に示すように、通信部３０２と、記憶部３０４と、制御部３０６と、を備える。
【００４２】
通信部３０２は、他の機器（例えば携帯機器１０、鞄用機器４０）と近距離無線通信（例えばＮＦＣ）を行う。通信部３０２が行う通信は、例えばＢｌｕｅｔｏｏｔｈ（登録商標）、ＲＦＩＤ、ＴｒａｎｓｆｅｒＪｅｔ（登録商標）、Ｗｉ−Ｆｉ（登録商標）などである。
【００４３】
記憶部３０４は、物品用機器３０に内蔵された不揮発性の半導体メモリや、物品用機器３０に着脱可能なＳＤカードなどである。記憶部３０４は、物品用機器３０が取り付けられた物品に関する情報を記憶する。例えば、物品用機器３０がトレーナーやズボンなどの衣類に取り付けられている場合には、記憶部３０４には当該衣類の情報が記憶され、物品用機器３０が釣りの道具（釣竿など）に取り付けられている場合には、記憶部３０４には当該釣りの道具の情報が記憶される。
【００４４】
制御部３０６は、ＣＰＵなどを備え、物品用機器３０全体を制御する。
【００４５】
（鞄用機器４０）
鞄用機器４０は、物品を収納する鞄に取り付けられた機器である。鞄用機器４０は、図１に示すように、通信部４０２と、記憶部４０４と、制御部４０６と、を備える。
【００４６】
通信部４０２は、他の機器（例えば携帯機器１０、物品用機器３０）と近距離無線通信（例えばＮＦＣ）を行う。通信部４０２が行う通信は、例えばＢｌｕｅｔｏｏｔｈ（登録商標）、ＲＦＩＤ、ＴｒａｎｓｆｅｒＪｅｔ（登録商標）、Ｗｉ−Ｆｉ（登録商標）などである。
【００４７】
記憶部４０４は、例えばフラッシュメモリなどの不揮発性の半導体メモリであり、通信部４０２で受信したデータなどを記憶する。
【００４８】
制御部４０６は、ＣＰＵ、ＲＡＭ、ＲＯＭなどを備える。制御部４０６は、ＣＰＵがＲＯＭなどに格納されているプログラムを実行することにより、鞄用機器４０全体を制御する。
【００４９】
ここで、物品用機器３０と鞄用機器４０との間の通信について説明する。図５（ａ）は、鞄用機器４０を備える鞄４２０を側方から見た図であり、図５（ｂ）は、鞄４２０を上方から見た図である。図５（ａ）及び図５（ｂ）に示すように、鞄４２０は、物品を収納する空間を形成する鞄本体４２２と、鞄本体４２２の上部に設けられた取っ手４２４と、を有する。鞄本体４２２の一部（上側）には、ユーザによる鞄本体４２２の内部（収納空間）へのアクセスを可能にするための開口４２６が形成されている。したがって、ユーザは、開口４２６を介して鞄本体４２２内に物品を収納したり、鞄本体４２２内から物品を取り出したりすることができる。
【００５０】
開口４２６の近傍には、鞄用機器４０の通信部４０２が設けられている。通信部４０２は、物品用機器３０が設けられた物品が開口４２６を通過する際に、物品用機器３０の通信部３０２との間で通信する。すなわち、通信部４０２は、物品が鞄本体４２２内に収納される又は取り出される際に、通信部３０２との間で通信する。
【００５１】
物品用機器３０（通信部３０２）と鞄用機器４０（通信部４０２）との間の通信によって、鞄用機器４０は、鞄に収納された物品又は鞄から取り出された物品の情報を取得することができる。なお、鞄用機器４０は、取得した物品の情報を、通信部４０２、第１通信部１１０を介して、携帯機器１０の制御部１２０に送信する。
【００５２】
（撮影装置５０）
撮影装置５０は、例えば屋外の各所に設置されたライブカメラである。撮影装置５０は、図１に示すように、撮像部５０２と、通信部５０４と、制御部５０６と、を備える。
【００５３】
撮像部５０２は、レンズ、撮像素子、画像処理部などを備え、静止画や動画などの画像を撮影するものである。撮像部５０２は、撮影装置５０の周囲の画像を撮影する。したがって、撮影装置５０が設置された場所における天候状況などが、撮像部５０２によって撮影される。
【００５４】
通信部５０４は、ネットワーク６０に接続された他の機器（例えば携帯機器１０）と無線通信（例えば携帯電話回線や無線ＬＡＮなどを用いた通信）を行う。
【００５５】
制御部５０６は、ＣＰＵなどを備え、撮影装置５０全体を制御する。制御部５０６は、携帯機器１０からの要求があった場合に、通信部５０４を制御して、例えば撮像部５０２で撮影された画像を携帯機器１０に送信する制御を行う。なお、撮影装置５０は、設置された場所の気温や湿度、明るさ等を検出するセンサを有していてもよく、制御部５０６は、画像とともに、センサにより検出された情報を携帯機器１０に送信するようにしてもよい。
【００５６】
（持ち物準備補助処理）
次に、ユーザによる持ち物の準備を補助する処理について、図６及び図７のフローチャートに沿って説明する。図６及び図７の処理は、携帯機器１０の制御部１２０によって実行される。なお、本処理の前提として、携帯機器１０には、持ち物の準備を補助するためのアプリ（持ち物補助アプリ）がインストールされているものとする。また、ユーザは、携帯機器１０を携帯し且つ装着装置２０を装着しているものとする。また、携帯機器１０の記憶部１１８には、一例として図３（ａ）の持ち物リスト（釣り）、図３（ｂ）の購入物品リスト（釣り）、図３（ｃ）の不使用物品リスト（釣り）のような、外出目的（外出先）に対応した各種リストが格納されているものとする。なお、図３（ａ）の持ち物リスト（釣り）は、前回ユーザが釣りに行ったときに記憶部１１８に最終的に記憶されたリストであり、図３（ｂ）の購入物品リスト（釣り）は、前回ユーザが釣りに行ったときに購入した物品の情報を格納するリストであり、図３（ｃ）の不使用物品リスト（釣り）は、前回ユーザが釣りに行ったときに持って行ったが使用しなかった物品の情報を格納するリストである。なお、図３（ｂ）及び図３（ｃ）のリストの作成、記憶処理については、後述する（図９参照）。
【００５７】
図６の処理では、まず、ステップＳ１０において、携帯機器１０の制御部１２０は、持ち物補助アプリが起動されるまで待機する。この場合、ユーザの操作（例えば、ユーザによる操作部１０４への入力、又はマイク（不図示）への所定の音声入力）に応じて制御部１２０が持ち物補助アプリを起動した段階で、ステップＳ１２に移行する。なお、制御部１２０は、装着装置２０の撮像部２０２で撮影された画像に所定の物品（例えば鞄４２０）が含まれていたという情報を装着装置２０から受信した場合に、持ち物補助アプリを起動するようにしてもよい。
【００５８】
ステップＳ１２に移行すると、制御部１２０は、携帯機器１０を携帯し且つ装着装置２０を装着するユーザが行った行動から、当該ユーザがこれから行う行動を予測する。
【００５９】
例えば、装着装置２０の制御部２１４は、ユーザが所定の物品を手にした画像を撮像部１１７又は撮像部２０２で撮影した場合に、その情報を携帯機器１０の制御部１２０に送信するものとする。この場合、制御部１２０は、ユーザが手にした物品が何であるかに基づいて、ユーザがこれから行う行動を予測する。例えば、ユーザがサッカーボールを手にした場合には、制御部１２０は、ユーザがこれからサッカーをしに行くと予測する。また、ユーザが釣竿を手にしている場合には、制御部１２０は、ユーザが釣りをしに行くと予測する。
【００６０】
また、例えば、ユーザが手にした物品に物品用機器３０が取り付けられており、物品用機器３０と携帯機器１０（又は装着装置２０）との間の近接通信により、ユーザが手にした物品を検出できるような場合には、制御部１２０は、検出結果に基づいてユーザがこれから行う行動を予測する。
【００６１】
また、制御部１２０は、ユーザが携帯機器１０において管理しているスケジュール表の内容や、携帯機器１０を利用してユーザが送受信したメールの内容、ユーザが行ったインターネット検索の履歴などから、ユーザがこれから行う行動を予測することもできる。また、制御部１２０は、位置検出部１０６を用いて取得されたユーザの行動履歴情報から“毎週水曜日の夕方はスポーツジムに行く”という情報や、ユーザが電子決済機能部１１４を用いて購入した物品情報（例えば、ツアーへの申し込みなど）から“明日から４泊５日で海外旅行に行く”という情報などが取得できるような場合には、取得した情報からユーザの行動を予測することもできる。
【００６２】
なお、ユーザのどの行動に基づいてユーザがこれから行う行動を制御部１２０が予測するかは、持ち物補助アプリが起動された段階でユーザによって選択されるようにしてもよいし、予め設定されていてもよい。また、上述した予想方法を複数組み合わせて、ユーザの行動を予測するようにしてもよい。
【００６３】
制御部１２０は、ステップＳ１２の後、ステップＳ１４において、予測した行動に対応する外出目的（外出先）が、記憶部１１８に記憶されている持ち物リストＤＢ１２にあるか否かを判断する。例えば、制御部１２０は、“ユーザは釣りに行く”と予測した場合に、持ち物リストＤＢ１２の外出目的（外出先）に“釣り”があるか否かを判断する。
【００６４】
予測した行動に対応する外出目的（外出先）がある場合は、ステップＳ１４の判断は肯定され、制御部１２０は、ステップＳ１６に移行する。ステップＳ１６に移行すると、制御部１２０は、予測した行動に対応する外出目的（外出先）に関連付けられた持ち物リストのデータを取得する。例えば、制御部１２０は、記憶部１１８から図３（ａ）に示すような持ち物リスト（釣り）のデータを取得する。
【００６５】
次いで、ステップＳ１８では、制御部１２０は、取得した持ち物リストを利用した過去（前回）において、持ち物に過不足があったか否かを判断する。例えば、制御部１２０は、外出目的（外出先）に対応する購入物品リスト（図３（ｂ））や不使用物品リスト（図３（ｃ））を記憶部１１８から取得し、外出先で買い足した物品や、鞄から取り出さなかった物品があったか否かを判断する。ステップＳ１８の判断が肯定された場合、すなわち持ち物の過不足があった場合には、制御部１２０は、ステップＳ２０に移行する。ステップＳ２０では、制御部１２０は、買い足した物品（図３（ｂ）の購入物品リストに掲載されている物品）を持ち物リストに追加するとともに、鞄から取り出されなかった物品（図３（ｃ）の不使用物品リストに掲載されている物品）を持ち物リストから削除することで、持ち物リストを修正する。その後、制御部１２０は、図７のステップＳ２４に移行する。一方、持ち物の過不足がなかった場合（ステップＳ１８：Ｎｏ）は、制御部１２０は、持ち物リストの修正をせずに、図７のステップＳ２４に移行する。
【００６６】
一方、ステップＳ１２で予測した行動に対応する外出目的（外出先）が持ち物リストＤＢ１２になかった場合には、ステップＳ１４の判断は否定されて、制御部１２０は、ステップＳ２２に移行する。ステップＳ２２では、制御部１２０は、予測した行動に対応する持ち物リストのテンプレート（標準リスト）を外部から取得する。この際、制御部１２０は、ネットワーク６０を用いるなどして、インターネットのサイト等から持ち物リストのテンプレートを取得するようにすればよい。この場合、例えばステップＳ１２においてユーザの行動予測に利用したメールに“初めての○○”という文言や、電子決済機能部１１４を用いて購入した物品が“○○入門”との本であるような場合には、制御部１２０は、ネットワーク６０を用いて、「初めての○○の持ち物リスト」などの初心者用のリストを取得するようにしてもよい。その後、制御部１２０は、図７のステップＳ２４に移行する。
【００６７】
ステップＳ２４に移行すると、制御部１２０は、気象状況（例えば天候や災害など）や、道路状況（例えば通行止めなど）、ユーザに関する変化（例えば体温の変化や出産などによる生活環境の変化）などから、持ち物リストの修正が必要か否かを判断する。制御部１２０は、ネットワーク６０を介して、気象状況や道路状況の情報を得ることができる。また、制御部１２０は、目的地に設置された撮影装置５０で撮影された画像を取得することで、画像からリアルタイムの気象状況の情報を得ることもできる。また、制御部１２０は、装着装置２０の生体情報検出部２０８で検出されたユーザの体温などや、記憶部１１８に記憶されたデータ（出産（子供）に関する記録など）などを取得することで、ユーザに関する変化の情報を得ることができる。
【００６８】
制御部１２０は、持ち物リストの修正が必要と判断した場合（ステップＳ２４：Ｙｅｓ）は、ステップＳ２６に移行して、持ち物リストを修正する。例えば、制御部１２０は、目的地において雨が降るとの情報を得た場合には持ち物リストに傘などの雨具を追加する修正を行ったり、降水確率が０％であるという情報を得た場合には、傘などの雨具を削除する修正を行ったりする。また、制御部１２０は、ユーザの体温が高めとの情報を得た場合には持ち物リストに風邪薬やマスク、上着等を追加する修正を行う。一方、持ち物リストの修正が不要と判断した場合（ステップＳ２４：Ｎｏ）は、制御部１２０は、ステップＳ２８に移行する。
【００６９】
図８には、図３（ａ）の持ち物リストを、図３（ｂ）の購入物品リスト、図３（ｃ）の不使用物品リスト、及び降水確率が０％であるとの情報に基づいて修正した場合の例が示されている。図８の持ち物リストにおいては、図３（ａ）の持ち物リストに対して、ペットボトル飲料とタオルが追加され、トレーナーと雨具が削除されている。
【００７０】
図７に戻り、ステップＳ２８に移行すると、制御部１２０は、修正後の持ち物リストを表示部１０２に表示する。これにより、ユーザは表示部１０２を見ながら持ち物の準備をすることができる。次いで、ステップＳ３０では、制御部１２０は、鞄４２０に収納された物品の情報を鞄用機器４０から受信したか否かを判断する。図５（ａ）及び図５（ｂ）を用いて説明したように、鞄用機器４０は、鞄本体４２２内に物品が収納される際に、物品用機器３０と通信を行うことで、鞄に収納される物品の情報を取得することができる。したがって、鞄用機器４０は、物品用機器３０から物品の情報を取得した段階で、当該物品情報を携帯機器１０に送信する。
【００７１】
制御部１２０は、物品情報を取得した場合（ステップＳ３０：Ｙｅｓ）、ステップＳ３２に移行する。ステップＳ３２では、制御部１２０は、持ち物リストと取得した物品情報とを比較して、取得した物品情報に対応する持ち物リストのチェック欄に準備済みであることを示すチェックを入れて、表示部１０２に表示する。これにより、制御部１２０は、忘れ物があるかないかをユーザに対して報知することができる。なお、ユーザが物品を鞄４２０に収納した後に鞄４２０から取り出すような場合もある。このような場合には、制御部１２０は、同一の物品の情報を偶数回受信することになるので、同一の物品の情報を偶数回受信した場合には、制御部１２０は、チェック欄にチェックが入っている物品のチェック欄のチェックを外すようにすればよい。
【００７２】
次いで、ステップＳ３４では、制御部１２０は、持ち物リストの全ての物品のチェック欄がチェックされているか否かを判断する。少なくとも１つのチェック欄がチェックされていない場合は、ステップＳ３４の判断は否定され、制御部１２０は、ステップＳ３６に移行する。また、物品情報を取得していない場合（ステップＳ３０：Ｎｏ）にも、制御部１２０は、ステップＳ３６に移行する。
【００７３】
ステップＳ３６では、制御部１２０は、ユーザの操作（例えば、ユーザによる操作部１０４への入力、又はマイク（不図示）への所定の音声入力）に応じて、準備完了の情報が入力されたか否かを判断する。例えば、制御部１２０は、表示部１０２に“準備完了”とのタッチパネルを表示し、ユーザが当該タッチパネルに触れたか否かによって、準備完了の情報が入力されたか否かを判断する。準備完了の情報が入力されていない場合は、制御部１２０は、ステップＳ３０に戻る。
【００７４】
全てのチェック欄がチェックされた場合（ステップＳ３４：Ｙｅｓ）又は準備完了の情報が入力された場合（ステップＳ３６：Ｙｅｓ）、制御部１２０は、ステップＳ３８に移行する。ステップＳ３８では、制御部１２０は、表示部１０２に表示した持ち物リストを記憶部１１８に記憶する。この際、制御部１２０は、「準備完了」の情報が入力された場合（ステップＳ３６：Ｙｅｓ）では、準備されなかった物品を削除した上で、持ち物リストを記憶部１１８に記憶する。これにより、最新の実績に基づいた持ち物リストが持ち物リストＤＢ１２に記憶されるようになる。なお、制御部１２０は、計時部１０８を用いて、持ち物リストが表示部１０２に表示されてから所定時間（タイムアウトを示す時間であり、例えば３０分）が経過したか否かを判断し、所定時間が経過した場合に、ステップＳ３８に移行するようにしてもよい。
【００７５】
次に、買い足した物品及び収納体から取り出されなかった物品の情報を記憶する処理について、図９のフローチャートに沿って説明する。図９の処理は、携帯機器１０の制御部１２０によって実行される。
【００７６】
図９の処理では、まず、ステップＳ５０において、携帯機器１０の制御部１２０は、持ち物リストを利用して物品を準備した外出の日時になるまで待機する。制御部１２０は、携帯機器１０に内蔵されたカレンダー機能を用いて、外出日時になったか否かを判断する。制御部１２０は、外出日時になった段階でステップＳ５２に移行する。なお、制御部１２０は、外出日時が不明な場合には、ステップＳ５０を省略してもよい。ステップＳ５２に移行すると、制御部１２０は、位置検出部１０６で検出された位置情報を用いて、ユーザが自宅を出発するまで待機する。制御部１２０は、ユーザが予め登録されている自宅の位置から移動を開始した段階でステップＳ５４に移行する。
【００７７】
ステップＳ５４に移行すると、制御部１２０は、電子決済機能部１１４を用いて購入した物品があるか否かを判断する。購入した物品がある場合は、ステップＳ５４の判断は肯定され、制御部１２０は、ステップＳ５６に移行して、購入した物品の情報を記憶部１１８に記憶する。その後、制御部１２０は、ステップＳ５８に移行する。一方、購入した物品がない場合は（ステップＳ５４：Ｎｏ）、制御部１２０は、ステップＳ５８に移行する。
【００７８】
ステップＳ５８では、制御部１２０は、鞄４２０から取り出された物品の情報を鞄用機器４０から受信したか否かを判断する。図５（ａ）及び図５（ｂ）を用いて説明したように、鞄用機器４０は、鞄本体４２２内の空間から物品が取り出される際に、物品用機器３０と通信を行うことで、鞄から取り出された物品の情報を取得することができる。鞄用機器４０は、物品用機器３０から物品情報を取得した段階で、当該物品情報を携帯機器１０に送信する。なお、鞄４２０から物品を取り出したものの、所定時間のうちに鞄４２０に戻された場合には、当該物品を使用していない（取り出していない）と見做してもよい。なお、所定時間とは、物品の性質を考慮して定められる時間であり、１回の使用時間が短い物品と１回の使用時間が長い物品とでは長さが異なるものとする。
【００７９】
物品情報を取得した場合は、ステップＳ５８の判断は肯定され、制御部１２０は、ステップＳ６０に移行し、取得した物品情報を記憶部１１８に記憶する。その後、制御部１２０は、ステップＳ６２に移行する。物品情報を取得していない場合（ステップＳ５８：Ｎｏ）は、制御部１２０は、ステップＳ６２に移行する。
【００８０】
なお、購入した物品を鞄４２０に収納する場合や、鞄４２０から取り出した物品を再度収納体に収納する場合にも、物品情報が鞄用機器４０から携帯機器１０に送信される。このような場合であっても、購入した物品情報及び／又は鞄から取り出された物品情報は、既に記憶部１１８に記憶されていることから、制御部１２０は、既に記憶されている物品情報と同じ物品情報を受信した場合には、当該物品情報を記憶しないようにすればよい。
【００８１】
なお、制御部１２０は、鞄から取り出された物品を、鞄用機器４０から受信した物品情報に基づいて判断する代わりに、装着装置２０の撮像部２０２で撮影された画像から、鞄から取り出された物品を判断するようにしてもよい。
【００８２】
ステップＳ６２では、制御部１２０は、位置検出部１０６で検出された位置情報を用いて、ユーザが自宅に戻ったか否かを判断する。自宅に戻った場合は、ステップＳ６２の判断は肯定され、制御部１２０は、ステップＳ６４に移行する。ステップＳ６４では、購入した物品の情報と取得した物品の情報（鞄４２０から取り出された物品の情報）に基づいて、外出先で購入した物品の情報と鞄４２０から取り出されなかった物品の情報とを外出目的（外出先）に対応付けて、購入物品リスト及び不使用物品リストとして、記憶部１１８に記憶する。一方、自宅に戻っていない場合（ステップＳ６２：Ｎｏ）は、制御部１２０は、ステップＳ５４に戻る。
【００８３】
以上詳細に説明したように、本第１の実施形態によれば、携帯機器１０の制御部１２０は、ユーザがこれから行う行動を予測し（Ｓ１２）、予測した行動に関する持ち物リストを取得する（Ｓ１６〜Ｓ２６）。そして、制御部１２０は、予測したユーザの行動と取得した持ち物リストとに基づいて、ユーザに持ち物が準備済みであることを報知する（Ｓ３２）。これにより、ユーザは、持ち物リストの選択や、持ち物の準備が済んだか否かのチェックを行わずに済むため、ユーザの負担を軽減することができる。
【００８４】
また、本第１の実施形態では、制御部１２０は、予測したユーザがこれから行う行動と、予測後に行われたユーザが鞄に収納した物品の情報と、を比較し（Ｓ３２）、その比較結果に基づいて持ち物リストのチェック欄にチェックを入れることで、ユーザに持ち物が準備済みであることを報知する（Ｓ３２）。これにより、持ち物の準備が済んだか否かを精度良く判断することができる。
【００８５】
また、本第１の実施形態では、制御部１２０は、ユーザが手にした物品を撮影する撮像部１１７又は撮像部２０２からの画像情報（物品情報）に基づいて、ユーザがこれから行う行動を予測することができるので、簡易な方法によってユーザのこれからの行動を予測することができる。
【００８６】
また、本第１の実施形態では、制御部１２０は、ユーザが手にした物品との通信によって受信した物品の情報に基づいて、ユーザがこれから行う行動を予測することができるので、ユーザのこれからの行動をより的確に予測することができる。
【００８７】
また、本第１の実施形態では、制御部１２０は、ユーザが行った検索履歴（例えばインターネット検索履歴）に基づいて、ユーザがこれから行う行動を予測することができるので、ユーザのこれからの行動をより詳細に予測することができる。
【００８８】
また、本第１の実施形態では、制御部１２０は、予測した行動に関する持ち物リストを検出する。これにより、ユーザに対して持ち物の準備を補助することができる。
【００８９】
また、本第１の実施形態では、制御部１２０は、予測した行動に関する持ち物リストとして、記憶部１１８に記憶されているユーザの購入物品情報で修正した持ち物リストを利用するので、過去の購入実績に基づいた持ち物リストを得ることができる。
【００９０】
また、本第１の実施形態では、制御部１２０は、予測した行動に関する持ち物リストとして、ユーザに関する変化（例えば体調変化や、出産などの生活環境変化など）に基づいて修正した持ち物リストを利用するので、ユーザのその時々の状況に適した持ち物リストを得ることができる。
【００９１】
なお、上記第１の実施形態において、制御部１２０は、操作部１０４によって入力された物品の情報からユーザがこれから行う行動を予測してもよい。
【００９２】
なお、上記第１の実施形態では、制御部１２０は、鞄用機器４０から受信した物品情報に基づいて、鞄４２０に収納された物品を特定して、持ち物リストのチェック欄にチェックする場合を例に示したが、これに限られない。例えば、制御部１２０は、鞄４２０の中にある物品の画像情報を装着装置２０の撮像部２０２から受信し、当該画像情報に基づいて、鞄４２０に収納された物品を特定して、持ち物リストのチェック欄をチェックすることとしてもよい。また、制御部１２０は、ユーザが携帯機器１０を鞄４２０に近づけ、物品用機器３０から鞄用機器４０を介さずに直接物品情報を取得することで、鞄４２０に収納された物品を特定して、持ち物リストのチェック欄をチェックすることとしてもよい。
【００９３】
なお、上記第１の実施形態においては、制御部１２０は、温度検出部１１６が検出した温度と、ネットワーク６０を介して取得した外出先の温度と、を比較し、その比較結果に基づいて、持ち物リストを修正するようにしてもよい。例えば、制御部１２０は、外出先の温度が温度検出部１１６で検出された温度よりも所定温度以上低い場合に、持ち物リストに衣服やブランケットなどを追加する修正をしてもよい。また、制御部１２０は、温度検出部１１６が検出した温度と、そのときのユーザの行動（例えば、１５℃のときにユーザはブランケットを使用していたなど）と、を関連付けた情報を記憶部１１８に予め記憶するようにしてもよい。そして、制御部１２０は、ネットワーク６０を介して取得した外出先の温度と、記憶部１１８に記憶されている上記情報と、に基づいて、持ち物リストを修正するようにしてもよい。
【００９４】
なお、上記第１の実施形態において、ユーザが自宅に保有する物品の情報が記憶部１１８に予め記憶されているような場合には、制御部１２０は、当該物品情報を考慮して、持ち物リストを修正するようにしてもよい。この場合、制御部１２０は、ユーザの操作に応じて物品情報を記憶部１１８に予め記憶するようにしてもよいし、装着装置２０の撮像部２０２から受信した画像情報に基づいて物品情報を記憶部１１８に予め記憶するようにしてもよい。
【００９５】
なお、上記第１の実施形態において、鞄４２０内に複数の収納領域（ポケットなど）がある場合には、複数の収納領域ごとに通信部４０２を設けてもよい。これにより、制御部１２０は、どの収納領域にどの物体が収納されたかのリストを記憶部１１８に記憶しておくことができるため、ユーザの求めに応じて、当該リストを提供することにより、ユーザは、鞄４２０内に入れた物品を見つけ出し易くなる。
【００９６】
なお、上記第１の実施形態において、持ち物リストに記載される物品に予め優先順位が付けられている場合には、制御部１２０は、ユーザからの要求などに応じて、優先順位を考慮して持ち物リストの物品の追加や削除をするようにしてもよい。例えば、ユーザから持ち物の重さの指定があった場合には、制御部１２０は、優先順位を考慮して持ち物リストに記載する物品を追加・削除することで、持ち物の重さが指定された範囲内となるようにしてもよい。
【００９７】
なお、上記第１の実施形態において、制御部１２０は、過去に外出先で買い足した物品などのように、外出先で購入したほうがよい物品に対しては、持ち物リストにその旨を記載するようにしてもよいし、外出した後に表示部１０２に表示するようにしてもよい。
【００９８】
なお、上記第１の実施形態において、複数のユーザ（例えば、第１〜第３ユーザ）それぞれが携帯機器１０を備え、各ユーザの携帯機器１０の制御部１２０が、共通の持ち物リストを表示部１０２に表示するようにしてもよい。そして、第１ユーザが物品を収納体に収納することで、第１ユーザの携帯機器１０の制御部１２０が当該物品について持ち物リストのチェック欄にチェックを入れた場合に、当該制御部１２０は、第２、３ユーザの携帯機器１０の制御部１２０にチェック済みの情報を送信するようにしてもよい。第２、３ユーザの携帯機器１０の制御部１２０は、受信したチェック済みの情報に基づいて、持ち物リストのチェック欄にチェックを入れるようにしてもよい。これにより、複数のユーザ間で持ち物の情報を共有することができる。
【００９９】
なお、上記第１の実施形態では、制御部１２０は、ユーザが外出する際に所持する物品のリストである持ち物リストを検出する場合を例に示したが、ユーザが外出をする際に自宅で行うべき点検事項（例えば家電製品の電源ＯＦＦなど）に関する点検リストを検出する場合など、その他の場合でもよい。点検リストを検出する場合、制御部１２０は、ユーザが家電の電源をＯＦＦした際に、当該家電から電源ＯＦＦの情報を受信することで、点検リストのチェック欄をチェックするようにしてもよい。また、制御部１２０は、予測した行動の期間（例えば、４日間留守にするなど）に応じて、点検リストを変更する（例えば、長期間留守にする場合は、点検リストに新聞を止める項目を追加するなど）ようにしてもよい。
【０１００】
《第２の実施形態》
次に、第２の実施形態に係る電子機器システムについて、図１０、図１１に基づいて、詳細に説明する。第２の実施形態に係る電子機器システムの構成は、第１の実施形態に係る電子機器システムの図１と同一又は同等であるため説明を省略する。なお、第１の実施形態では、持ち物の過不足情報や気象状況などに基づいて修正した持ち物リストを表示部１０２に表示する場合であったが、本第２の実施形態は、修正をしていない持ち物リストを表示部１０２に表示し、持ち物の不足情報や気象状況などに基づいて、準備物品に対して不足している物品の情報を報知するものである。
【０１０１】
（持ち物準備補助処理）
以下、本第２の実施形態における、ユーザによる持ち物の準備を補助する処理について、図１０及び図１１のフローチャートに沿って説明する。図１０及び図１１の処理は、携帯機器１０の制御部１２０によって実行される。
【０１０２】
図１０の処理では、制御部１２０は、ステップＳ７０からＳ７８において、第１の実施形態の図６におけるステップＳ１０からＳ１６及びＳ２２と同じ処理を行う。ステップＳ８０では、制御部１２０は、ステップＳ７６又はステップＳ７８で取得した持ち物リストを表示部１０２に表示する。
【０１０３】
ステップＳ８０の後は、制御部１２０は、図１１のステップＳ８２に移行する。制御部１２０は、ステップＳ８２からＳ８８において、第１の実施形態の図７におけるステップＳ３０からＳ３６と同じ処理を行う。
【０１０４】
その後、ステップＳ９０において、制御部１２０は、持ち物リストのチェック欄のチェック状況と、取得した持ち物リストを利用した過去（前回）において持ち物に不足があったことの情報や、気象状況、道路状況、ユーザに関する変化とを考慮して、準備した持ち物に不足があるか否かを判断する。持ち物の不足情報などは、第１の実施形態で説明したように、記憶部１１８に記憶されていたり、ネットワーク６０を利用して取得されたり、装着装置２０から受信したりすることで得られる。
【０１０５】
例えば、過去に外出先で買い足した物品が準備されていない場合には、制御部１２０は、持ち物に不足があると判断する。例えば、制御部１２０は、雨が降るとの情報を得た場合に雨具が準備されていない場合や、ユーザの体温が高めであるとの情報を得た場合に風邪薬などが準備されていないような場合には、持ち物に不足があると判断する。
【０１０６】
持ち物に不足があると判断した場合（ステップＳ９０：Ｙｅｓ）、制御部１２０は、ステップＳ９２に移行し、不足の物品の情報を、表示部１０２に表示したり、不図示のスピーカーから出力したりすることで、ユーザに報知する。その後、制御部１２０は、ステップＳ９４に移行する。一方、持ち物の不足がない場合（ステップＳ９０：Ｎｏ）には、制御部１２０は、報知を行わずに、ステップＳ９４に移行する。ステップＳ９４では、制御部１２０は、持ち物リストを記憶部１１８に記憶する。この際、制御部１２０は、ステップＳ９２による報知によってユーザが追加した物品があり、当該物品が持ち物リストに記載されていない場合には、当該物品を持ち物リストに追加する修正をし、報知によっても追加していない物品が持ち物リストに記載されている場合には当該物品を削除する修正をした上で、持ち物リストを記憶部１１８に記憶する。ステップＳ９２による報知が行われていない場合（ステップＳ９０：Ｎｏ）には、制御部１２０は、持ち物リストに修正を加えずに、記憶部１１８に記憶する。これにより、最新の実績に基づいた持ち物リストが持ち物リストＤＢ１２に記憶されるようになる。
【０１０７】
以上詳細に説明したように、本第２の実施形態によれば、携帯機器１０の制御部１２０は、予測した行動に関する持ち物リストとユーザが鞄に収納した物品の情報との比較結果と、記憶部１１８に記憶されているユーザの購入物品情報と、を考慮して、ユーザに持ち物の不足に関する情報の報知を行う（Ｓ９０、Ｓ９２）。これにより、過去の購入実績に基づいた持ち物の不足情報をユーザに報知することができる。
【０１０８】
また、本第２の実施形態では、制御部１２０は、ユーザに関する変化（例えば体調変化や、出産などの生活環境変化など）を考慮して、ユーザに持ち物の不足に関する情報の報知を行うので、ユーザのその時々の状況に適した持ち物の不足情報をユーザに報知することができる。
【０１０９】
なお、上記第２の実施形態では、過去において足りなかった物品の情報（すなわち、外出先で購入した物品情報）や気象状況などを考慮して、準備できていない物品の情報を報知する場合を例に示したが、過去において持って行ったが使用しなかった物品の情報や気象状況などを考慮して、準備済みの物品の中から不必要な物品の情報を報知してもよい。
【０１１０】
なお、上記第１、第２の実施形態では、制御部１２０は、修正した持ち物リストを記憶部１１８に記憶する場合を例に示したが、このような処理を行わない場合でもよい。すなわち、図２の外出目的（外出先）に関連付けられた持ち物リストは変化させない場合でもよい。この場合でも、購入物品リスト及び不使用物品リストを更新することで、過去の実績に基づいた持ち物の過不足情報をユーザに報知することができる。
【０１１１】
なお、上記第１、第２の実施形態では、物品が鞄に収納される場合を例に示したが、物品が鞄以外の収納体（例えばダンボールなど）に収納される場合でも良い。この場合、当該収納体には、鞄用機器４０と同一又は同等の収納体用機器が備わる。
【０１１２】
なお、上記第１、第２の実施形態における処理機能は、コンピュータによって実現することができる。その場合、処理装置（ＣＰＵ）が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【０１１３】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１１４】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１１５】
上述した各実施形態は本発明の好適な実施の例であり、適宜組み合わせることができる。但し、これに限定されるものではなく、本発明の要旨を逸脱しない範囲内において種々変形実施可能である。
【符号の説明】
【０１１６】
１０  携帯機器
１２  持ち物リストＤＢ
１４  持ち物リストデータ
２０  装着装置
３０  物品用機器
４０  鞄用機器
５０  撮影装置
６０  ネットワーク
１０２、２０４  表示部
１０４、２０６  操作部
１０６  位置検出部
１０８  計時部
１１０  第１通信部
１１２  第２通信部
１１４  電子決済機能部
１１６  温度検出部
１１８、２１０、３０４、４０４  記憶部
１２０、２１４、３０６、４０６、５０６  制御部
１１７、２０２、５０２  撮像部
２０８  生体情報検出部
２１２、３０２、４０２、５０４  通信部
【図１】
2017102677.tif 000003
【図２】
2017102677.tif 000004
【図３】
2017102677.tif 000005
【図４】
2017102677.tif 000006
【図５】
2017102677.tif 000007
【図６】
2017102677.tif 000008
【図７】
2017102677.tif 000009
【図８】
2017102677.tif 000010
【図９】
2017102677.tif 000011
【図１０】
2017102677.tif 000012
【図１１】
2017102677.tif 000013